【手続補正書】
【提出日】平成21年1月7日(2009.1.7)
【手続補正１】
【補正対象書類名】特許請求の範囲
【補正対象項目名】全文
【補正方法】変更
【補正の内容】
【特許請求の範囲】
【請求項１】
排泄物を受け入れるための第１の開口部を一面に設けた袋体と、前記第１の開口部の周囲に取り付けられ第２の開口部を有するフランジとを具備するオストミーパウチにおいて、
前記袋体が水中崩壊紙の一面に耐水層を設けた水中崩壊性シートからなり、前記フランジが水中崩壊紙の一面に水溶性粘着剤または水と接触して崩壊する成分で構成した粘着剤を積層してなることを特徴とするオストミーパウチ。
【請求項２】
排泄物を受け入れるための第１の開口部を一面に設けた袋体と、前記第１の開口部の周囲に取り付けられ第２の開口部を有するフランジとを具備するオストミーパウチにおいて、
前記袋体が水溶性のシート状基材の一面に耐水層を設けた水中崩壊性シートからなり、前記フランジが水溶性のシート状基材の一面に水溶性粘着剤または水と接触して崩壊する成分で構成した粘着剤を積層してなり、前記フランジの外径が前記袋体の幅にほぼ等しく、かつ袋体の上縁が前記フランジの外周にほぼ重なるように配置されていることを特徴とするオストミーパウチ。
【請求項３】
前記袋体とフランジが、水中崩壊性の結合剤を介して貼り合わせられていることを特徴とする請求項１又は２に記載のオストミーパウチ。
【請求項４】
前記袋体の幅がほぼ全長に亘り等しく形成されていることを特徴とする請求項１又は２に記載のオストミーパウチ。
【請求項５】
排泄物を受け入れるための第１の開口部を一面に設けた袋体と、前記第１の開口部の周囲に取り付けられ第２の開口部を有するフランジとを具備するオストミーパウチにおいて、
前記袋体が水中崩壊紙の一面に耐水層を設けた水中崩壊性シートからなり、前記フランジが水中崩壊紙の一面に熱可塑性樹脂、または熱可塑性樹脂と脆性成分との組成物を積層してなることを特徴とするオストミーパウチ。
【請求項６】
排泄物を受け入れるための第１の開口部を一面に設けた袋体と、前記第１の開口部の周囲に取り付けられ第２の開口部を有するフランジとを具備するオストミーパウチにおいて、
前記袋体が水溶性のシート状基材の一面に耐水層を設けた水中崩壊性シートからなり、前記フランジが水溶性のシート状基材の一面に熱可塑性樹脂、または熱可塑性樹脂と脆性成分との組成物を積層してなり、前記フランジの外径が前記袋体の幅よりも大であり、かつフランジの両側部から上部に亘る部分が前記袋体の外方となるように配置されていることを特徴とするオストミーパウチ。
【請求項７】
前記袋体とフランジが、水中崩壊性の結合剤を介して貼り合わせられていることを特徴とする請求項５又は６に記載のオストミーパウチ。
【請求項８】
前記袋体の幅がほぼ全長に亘り等しく形成されていることを特徴とする請求項５又は６に記載のオストミーパウチ。
【請求項９】
身体に取り付けるための面板と、前記面板に着脱可能に結合され排泄物を貯留するオストミーパウチと、前記面板に結合され該オストミーパウチを内部に分離可能に収容する外袋を具備したオストミー装具において、
前記面板と前記オストミーパウチとの結合部が前記面板と前記外袋の結合部の内側であって、前記オストミーパウチが請求項１乃至４いずれか１項に記載のオストミーパウチであることを特徴とするオストミー装具。
【請求項１０】
身体に取り付けるための面板と、前記面板に着脱可能に結合され排泄物を貯留するオストミーパウチと、前記面板に結合され該オストミーパウチを内部に分離可能に収容する外袋を具備したオストミー装具において、
前記オストミーパウチが請求項５乃至８いずれか１項に記載のオストミーパウチであって、前記オストミーパウチの前記フランジが前記面板と前記外袋との結合部に挟み込まれることを特徴とするオストミー装具。
【請求項１１】
前記面板と前記外袋との結合部が嵌合からなることを特徴とする請求項１０に記載のオストミー装具。
【請求項１２】
前記オストミーパウチを構成する袋体の幅が外袋の開口部の内径とほぼ等しいことを特徴とする請求項９乃至１１いずれか１項に記載のオストミー装具。
【請求項１３】
前記オストミーパウチに排泄物を貯留したときに、当該排泄物を貯留した袋体の底部が外袋の底部に支持される長さであることを特徴とする請求項９乃至１１乃至いずれか１項に記載のオストミー装具。
【請求項１４】
排泄物を受け入れるための第１の開口部を一面に設けた袋体と、前記第１の開口部の周囲に取り付けられ第２の開口部を有するフランジとを具備するオストミーパウチにおいて、
前記袋体とフランジが水中崩壊紙を基材とし、かつ前記第１または／および第２の開口部に露出した水中崩壊紙の断面または断面近傍にホットメルト組成物または撥水剤が含浸されてなることを特徴とするオストミーパウチ。
【請求項１５】
排泄物を受け入れるための第１の開口部を一面に設けた袋体と、前記第１の開口部の周囲に取り付けられ第２の開口部を有するフランジとを具備したオストミーパウチであり、前記袋体がフランジに近接した第１のシートとフランジから遠い側に配置される第２のシートの周縁を互いにヒートシールされてなり、前記フランジがシート状部材からなり、かつその外径が前記袋体の幅よりも大であるオストミーパウチの製造方法において、
（１）前記フランジと前記第１のシートを前記第１と第２の開口部を囲んで接合する第１ステップと、
（２）第１のステップにおいて接合されたフランジと第１のシートとの間に前記第１と第２の開口部をさらに囲むように断熱シートを挿入する第２ステップと、
（３）さらに第２のシートを重ねてシール金型を押し当てることにより第１と第２の２枚のシートの周縁を互いにヒートシールして袋体を形成する第３ステップと
からなることを特徴とするオストミーパウチの製造方法。
【手続補正２】
【補正対象書類名】明細書
【補正対象項目名】００１２
【補正方法】変更
【補正の内容】
【００１２】
上記発明の実施態様としては、下記の発明が好ましい。前記請求項２に記載のオストミーパウチにおいて、前記水溶性のシート状基材が水中崩壊紙または水溶性樹脂フィルムであることを特徴とする。また、前記請求項１又は２に記載のオストミーパウチにおいて、前記耐水層が熱可塑性樹脂、または熱可塑性樹脂と脆性成分との組成物からなることを特徴とする。さらに、前記請求項１又は２に記載のオストミーパウチにおいて、前記袋体とフランジが、水中崩壊性の結合剤を介して貼り合わせられていることを特徴とする（請求項３の発明）。また、前記請求項３に記載のオストミーパウチにおいて、前記水中崩壊性の結合剤が、水溶性粘着剤、水と接触して崩壊する成分で構成した粘着剤、熱可塑性樹脂、熱可塑性樹脂と脆性成分との組成物のいずれか一の材料からなることを特徴とする。さらに、前記請求項１又は２に記載のオストミーパウチにおいて、前記袋体が上部をほぼ半円状に形成されたことを特徴とする。また、前記請求項１又は２に記載のオストミーパウチにおいて、前記袋体の幅がほぼ全長に亘り等しく形成されていることを特徴とする（請求項４の発明）。
【手続補正３】
【補正対象書類名】明細書
【補正対象項目名】００１３
【補正方法】変更
【補正の内容】
【００１３】
また、本発明の課題は下記によっても達成できる。排泄物を受け入れるための第１の開口部を一面に設けた袋体と、前記第１の開口部の周囲に取り付けられ第２の開口部を有するフランジとを具備するオストミーパウチにおいて、前記袋体が水中崩壊紙の一面に耐水層を設けた水中崩壊性シートからなり、前記フランジが水中崩壊紙の一面に熱可塑性樹脂、または熱可塑性樹脂と脆性成分との組成物を積層してなることを特徴とする（請求項５の発明）。さらに、排泄物を受け入れるための第１の開口部を一面に設けた袋体と、前記第１の開口部の周囲に取り付けられ第２の開口部を有するフランジとを具備するオストミーパウチにおいて、前記袋体が水溶性のシート状基材の一面に耐水層を設けた水中崩壊性シートからなり、前記フランジが水溶性のシート状基材の一面に熱可塑性樹脂、または熱可塑性樹脂と脆性成分との組成物を積層してなり、前記フランジの外径が前記袋体の幅よりも大であり、かつフランジの両側部から上部に亘る部分が前記袋体の外方となるように配置されていることを特徴とする（請求項６の発明）。
【手続補正４】
【補正対象書類名】明細書
【補正対象項目名】００１４
【補正方法】変更
【補正の内容】
【００１４】
上記発明の実施態様としては、下記の発明が好ましい。前記請求項６に記載のオストミーパウチにおいて、前記水溶性のシート状基材が水中崩壊紙または水溶性樹脂フィルムであることを特徴とする。また、前記請求項５又は６に記載のオストミーパウチにおいて、前記耐水層が熱可塑性樹脂、または熱可塑性樹脂と脆性成分との組成物からなることを特徴とする。さらに、前記請求項５又は６に記載のオストミーパウチにおいて、前記袋体とフランジが、水中崩壊性の結合剤を介して貼り合わせられていることを特徴とする（請求項７の発明）。また、前記請求項７に記載のオストミーパウチにおいて、前記水中崩壊性の結合剤が、水溶性粘着剤、水と接触して崩壊する成分で構成した粘着剤、熱可塑性樹脂、熱可塑性樹脂と脆性成分との組成物のいずれか一の材料からなることを特徴とする。さらに、前記請求項５又は６に記載のオストミーパウチにおいて、前記袋体が上部をほぼ半円状に形成されたことを特徴とする。また、前記請求項５又は６に記載のオストミーパウチにおいて、前記袋体の幅がほぼ全長に亘り等しく形成されていることを特徴とする（請求項８の発明）。
【手続補正５】
【補正対象書類名】明細書
【補正対象項目名】００１５
【補正方法】変更
【補正の内容】
【００１５】
オストミー装具の発明としては、身体に取り付けるための面板と、前記面板に着脱可能に結合され排泄物を貯留するオストミーパウチと、前記面板に結合され該オストミーパウチを内部に分離可能に収容する外袋を具備したオストミー装具において、前記面板と前記オストミーパウチとの結合部が前記面板と前記外袋の結合部の内側であって、前記オストミーパウチが請求項１乃至４いずれか１項に記載のオストミーパウチであることを特徴とする（請求項９の発明）。また、前記請求項９に記載のオストミー装具において、前記外袋が前記面板に着脱可能に結合されることを特徴とする。さらに、前記請求項９に記載のオストミー装具において、前記外袋が開閉自在な開口部を有することを特徴とする。
【手続補正６】
【補正対象書類名】明細書
【補正対象項目名】００１６
【補正方法】変更
【補正の内容】
【００１６】
また、オストミー装具の上記とは異なる発明としては、身体に取り付けるための面板と、前記面板に着脱可能に結合され排泄物を貯留するオストミーパウチと、前記面板に結合され該オストミーパウチを内部に分離可能に収容する外袋を具備したオストミー装具において、前記オストミーパウチが請求項５乃至８いずれか１項に記載のオストミーパウチであって、前記オストミーパウチの前記フランジが前記面板と前記外袋との結合部に挟み込まれることを特徴とする（請求項１０の発明）。また、前記請求項１０に記載のオストミー装具において、前記面板と前記外袋との結合部が嵌合からなることを特徴とする（請求項１１の発明）。
【手続補正７】
【補正対象書類名】明細書
【補正対象項目名】００１７
【補正方法】変更
【補正の内容】
【００１７】
さらに、前記請求項９乃至１１いずれか１項に記載のオストミー装具において、前記オストミーパウチを構成する袋体の幅が外袋の開口部の内径とほぼ等しいことを特徴とする（請求項１２の発明）。また、前記請求項９乃至１１いずれか１項に記載のオストミー装具において、前記オストミーパウチに排泄物を貯留したときに、当該排泄物を貯留した袋体の底部が外袋の底部に支持される長さであることを特徴とする（請求項１３の発明）。
【手続補正８】
【補正対象書類名】明細書
【補正対象項目名】００１８
【補正方法】変更
【補正の内容】
【００１８】
また、前記とは異なるオストミーパウチの発明としては、排泄物を受け入れるための第１の開口部を一面に設けた袋体と、前記第１の開口部の周囲に取り付けられ第２の開口部を有するフランジとを具備するオストミーパウチにおいて、前記袋体とフランジが水中崩壊紙を基材とし、かつ前記第１または／および第２の開口部に露出した水中崩壊紙の断面または断面近傍にホットメルト組成物または撥水剤が含浸されてなることを特徴とする（請求項１４の発明）。また、前記請求項１４に記載のオストミーパウチにおいて、前記撥水剤がシリコーンであることを特徴とする。
【手続補正９】
【補正対象書類名】明細書
【補正対象項目名】００１９
【補正方法】変更
【補正の内容】
【００１９】
オストミーパウチの製造方法の発明としては、排泄物を受け入れるための第１の開口部を一面に設けた袋体と、前記第１の開口部の周囲に取り付けられ第２の開口部を有するフランジとを具備したオストミーパウチであり、前記袋体がフランジに近接した第１のシートとフランジから遠い側に配置される第２のシートの周縁を互いにヒートシールされてなり、前記フランジがシート状部材からなり、かつその外径が前記袋体の幅よりも大であるオストミーパウチの製造方法において、
（１）前記フランジと前記第１のシートを前記第１と第２の開口部を囲んで接合する第１ステップと、
（２）第１のステップにおいて接合されたフランジと第１のシートとの間に前記第１と第２の開口部をさらに囲むように断熱シートを挿入する第２ステップと、
（３）さらに第２のシートを重ねてシール金型を押し当てることにより第１と第２の２枚のシートの周縁を互いにヒートシールして袋体を形成する第３ステップと
からなることを特徴とする（請求項１５の発明）。